(57)【要約】      （修正有）【課題】使用する素材が少なく、製造も容易でコストダウンをもたらすことができ、さらに、軽くて操作が容易な、指の操作で動かすことができる人形玩具を提供する。【解決手段】人形主体部２がプラスチックシートにより内部に空気を入れて膨らましうる中空風船状に形成される。人形主体部の下方に連続して当該人形主体部を支持する手を挿入するために袋状の手の保持部４が形成される。人形主体部を動かす操作を行う指を挿入するポケット状の指の係止部５が人形主体部に形成され、手の保持部に挿入した手の指の一部を切込みから外部へ露出させ、その指を指の係止部に挿入する。【選択図】図３
0003103623.tif 000002
【実用新案登録請求の範囲】
【請求項１】
人形主体部が合成樹脂製シートにより内部に空気を入れて膨らましうる中空風船状に形成されると共に、上記人形主体部の下方に連続して当該人形主体部を支持する手の保持部が形成され、さらに、上記人形主体部に当該人形主体部を動かす操作を行う指の係止部が形成されたことを特徴とする人形玩具。
【請求項２】
上記人形主体部を支持する手の保持部として、片手を下側から挿入しうる袋部が形成されたことを特徴とする請求項１記載の人形玩具。
【請求項３】
上記指の係止部は、上記袋部に挿入した手の指の一部を外部へ露出して挿入しうるように形成されたことを特徴とする請求項２記載の人形玩具。
【請求項４】
上記袋部に挿入した手の指の一部を外部へ露出するために、上記袋部の裏面上端部に指の一部を貫通しうる横長線状の切込みが形成されると共に、上記指の係止部として上記人形主体部の裏面下端部に上記切込みを貫通した指を挿入しうる下向きに開口したポケット部が形成されたことを特徴とする請求項３記載の人形玩具。
【請求項５】
上記ポケット部は上記人形主体部の裏面側にポケット片を重ね合わせ、そのポケット片の左右両側辺部及び上辺部を上記人形主体部の裏面シートに溶着して形成されたことを特徴とする請求項４記載の人形玩具。
【請求項６】
上記中空風船状に形成された人形主体部がキャラクタの頭部の形状に形成されると共に、上記人形主体部を支持する手の保持部が上記キャラクタの腕を含む胴体部の形状に形成されたことを特徴とする請求項１、２、３、４又は５記載の人形玩具。
【考案の詳細な説明】
【技術分野】
【０００１】
本考案は、人形玩具、特に指人形又はマペットと称され、指の操作で様々な動作をなさしめるように形成された人形玩具に関する。
【背景技術】
【０００２】
従来のマペットは、人形本体に手を挿入できる袋部が形成され、人形本体の素材には手の指の操作で様々な動作をなしうるように柔軟性を有する布が用いられていた。
【０００３】
したがって、人形本体を形成する場合に、布片を縫い合わせたり、立体的にするため内部に中綿を詰めたりする必要があって、使用する材料の種類が多く、かつ製造に手間がかかるのでコスト高になるという不具合があった。
【０００４】
また、上記のように内部に中綿を詰めることにより、その分だけ重くなるので、長時間使用すると支えている手が疲れて、指による操作が困難になるという不具合もあった。
【０００５】
本出願人は上記不具合を解消できる人形玩具について調査したが、関連する先行技術文献は発見できなかった。
【考案の開示】
【考案が解決しようとする課題】
【０００６】
そこで、本考案は、使用する素材が少なく、製造も容易でコストダウンをもたらすことができ、さらに、軽くて指による操作が容易な人形玩具の提供を課題とする。
【課題を解決するための手段】
【０００７】
上記課題を解決するために、請求項１記載の本考案に係る人形玩具は、人形主体部が合成樹脂製シートにより内部に空気を入れて膨らましうる中空風船状に形成されると共に、上記人形主体部の下方に連続して当該人形主体部を支持する手の保持部が形成され、さらに、上記人形主体部に当該人形主体部を動かす操作を行う指の係止部が形成されたことを特徴とするものである。
【０００８】
即ち、本考案に係る人形玩具は、上記手の保持部で保持した手により人形主体部を支えると共に、上記指の係止部に係止した指の操作により中空風船状に形成された上記人形主体部を動かすことができる。
上記合成樹脂製シートの素材としては、プラスチック、ナイロンシート等が使用されうる。
【０００９】
また、請求項２記載の本考案に係る人形玩具は、上記人形主体部を支持する手の保持部として、片手を下側から挿入しうる袋部が形成されたことを特徴とする。
【００１０】
即ち、本考案に係る人形玩具は、上記手の保持部として形成された上記袋部に手を挿入することにより上記人形主体部を支持することができる。
【００１１】
また、請求項３記載の本考案に係る人形玩具は、上記指の係止部が、上記袋部に挿入した手の指の一部を外部へ露出して挿入しうるように形成されたことを特徴とする。
【００１２】
即ち、本考案に係る人形玩具は、上記袋部に挿入した手と同一の手における指の一部を上記指の係止部に挿入して係止することができる。
【００１３】
また、請求項４記載の本考案に係る人形玩具は、上記袋部に挿入した手の指の一部を外部へ露出するために、上記袋部の裏面上端部に指の一部を貫通しうる横長線状の切込みが形成されると共に、上記指の係止部として上記人形主体部の裏面下端部に上記切込みを貫通した指を挿入しうる下向きに開口したポケット部が形成されたことを特徴とする。
【００１４】
即ち、本考案に係る人形玩具は、上記袋部に挿入した手の指の一部を上記切込みから外部へ露出させ、その露出させた指を上記指の係止部として形成された上記ポケット部に挿入して係止することができる。この場合、上記人形主体部は空気を入れて膨らませた状態においては、膨張することから、上記手の保持部も湾曲し、ポケット部の開孔部も開孔することから指を入れやすくなる。
【００１５】
また、請求項５記載の本考案に係る人形玩具は、上記ポケット部が上記人形主体部の裏面側にポケット片を重ね合わせ、そのポケット片の左右両側辺部及び上辺部を上記人形主体部の裏面シートに溶着して形成されたことを特徴とする。
【００１６】
即ち、本考案に係る人形玩具は、上記指の係止部を上記人形主体部の内部に形成するのではなく、上記人形主体部の外面部に容易に形成することができる。
【００１７】
また、請求項６記載の本考案に係る人形玩具は、上記中空風船状に形成された人形主体部がキャラクタの頭部の形状に形成されると共に、上記人形主体部を支持する手の保持部が上記キャラクタの腕を含む胴体部の形状に形成されたことを特徴とする。
【００１８】
即ち、本考案に係る人形玩具は、指の操作で主に人形主体部であるキャラクタの頭部を動かすことができる。また、手の保持部の一部として形成された腕部も指の操作で動かすことができる。
【考案の効果】
【００１９】
請求項１記載の本考案に係る人形玩具は、内部に空気を入れて膨らましうる中空風船状の人形主体部が２枚の合成樹脂製シートの周縁部を溶着することにより形成できると共に、内部に中綿を詰める必要もないことから、製造が極めて容易であり、また、使用する素材もプラスチックシートだけで少ないので、製造コストを低減することができる。
また、上記人形主体部は中空で空気を入れるだけなので極めて軽量であり、長時間手で支えても手が疲れにくく、指で人形主体部を動かす操作も楽で扱いやすい。
また、不使用時は空気を抜いて上記人形主体部を萎ませ、コンパクトに折り畳むことができるので保管に便利である。
また、上記人形主体部は合成樹脂製シート製であることから、印刷によりその表面に任意に多様な模様を表示することができる。
【００２０】
請求項２記載の本考案に係る人形玩具は、上記人形主体部を手で支持するための手の保持部として上記袋部を設けるだけなので、製造が容易でコストアップを回避することができる。
また、上記袋部に下側から片手を挿入するだけで上記人形主体部を簡単に手で保持することができるので、取り扱いが極めて容易である。
【００２１】
請求項３記載の本考案に係る人形玩具は、上記袋部に挿入した手の指の一部を外部へ露出して上記指の係止部に挿入しうるように形成されたことから、片手だけで上記人形主体部を保持しながらその人形主体部を動かす操作を行うことができる。したがって、他方の片手は自由に使用できる。
【００２２】
請求項４記載の本考案に係る人形玩具は、上記袋部に挿入した手の指の一部を外部へ露出するために、上記袋部の裏面上端部に指の一部を貫通しうる横長線状の切込みを設けるだけでよく、又、上記指の係止部として上記人形主体部の裏面下端部に上記切込みを貫通した指を挿入しうる下向きに開口したポケット部を形成するだけで良いので、構造がシンプルで製造が容易であり、コストを下げることができる。
また、手の保持部から上記切込みを貫通させることにより指を容易に指の係止部へ挿入できることから、指の係止部へ挿入する指だけ手の保持部から抜いて指の係止部へ無理に挿入する必要がないので、指を自然な姿勢で動かすことができ使いやすい。
さらに、上記人形主体部に空気を注入して膨らませた場合には、上記人形主体部の裏面下端部に設けられたポケット部の下方へ向く開口部が大きく開孔することになるため、上記手の保持部内に挿入した手の指を容易に上記ポケット部内へ進入させることができる。
【００２３】
請求項５記載の本考案に係る人形玩具は、上記人形主体部の裏面側にポケット片を重ね合わせ、そのポケット片の左右両側辺部及び上辺部を上記人形主体部の裏面シートに溶着することにより上記ポケット部を容易に形成できることから、製造コストを低く抑えることができる。
【００２４】
請求項６記載の本考案に係る人形玩具は、上記中空風船状に形成された人形主体部がキャラクタの頭部の形状に形成されたことから、上記指の係止部に挿入した指の一部で頭部を前後左右に動かすことができるので興趣に富んだ動作を行わせることができる。また、手の保持部に挿入されている残りの指で上記キャラクタの胴体部の腕部も動かすことができる。
【考案を実施するための最良の形態】
【００２５】
以下、図面を用いて本考案の実施の形態について説明する。
本実施形態に係る人形玩具１は、図１乃至図３に示すように、人形主体部２が合成樹脂製シートとしてのプラスチックシート３により内部に空気を入れて膨らましうる中空風船状に形成されると共に、上記人形主体部２の下方に連続して当該人形主体部２を支持する手の保持部４が形成され、さらに、上記人形主体部２に当該人形主体部２を動かす操作を行う指の係止部５が形成されている。    
また、上記人形主体部２を支持する手の保持部４として、図１乃至図３に示すように、片手を下側から挿入しうる袋部６が形成されている。
また、上記指の係止部５は、図３に示すように、上記袋部６に挿入した手の指の一部を外部へ露出して挿入しうるように形成されている。
また、上記袋部６に挿入した手の指の一部を外部へ露出するために、図２及び図３に示すように、上記袋部６の裏面上端部に指の一部を貫通しうる横長線状の切込み７が形成されると共に、上記指の係止部５として上記人形主体部２の裏面下端部に上記切込み７を貫通した指を挿入しうる下向きに開口したポケット部８が形成されている。
また、上記ポケット部８は、図２及び図３に示すように、上記人形主体部２の裏面側にポケット片９を重ね合わせ、そのポケット片９の左右両側辺部及び上辺部を上記人形主体部２の裏面シート１０に溶着して形成されている。
また、図１に示すように、上記中空風船状に形成された人形主体部２がキャラクタの頭部１１の形状に形成されると共に、上記人形主体部２を支持する手の保持部４が上記キャラクタの腕を含む胴体部１２の形状に形成されている。
【実施例１】
【００２６】
図示した本実施例に係る人形玩具１は、図１乃至図３に示すように、人形主体部２と、上記人形主体部２を支持する手の保持部４と、上記人形主体部２を動かす操作を行う指の係止部５とにより構成されている。
【００２７】
上記人形主体部２は、図２に示すように、塩化ビニル等の熱可塑性プラスチックシート３により内部に空気を入れて膨らましうる中空風船状に形成されている。
即ち、同一形状に裁断された２枚の前後のプラスチックシート３を重ね合わせ、それらの周縁部を溶着して形成されている。
【００２８】
そして、上記人形主体部２の裏面シート１０の略中央部には空気を出し入れするための送排気栓１３が取り付けられている。
即ち、上記送排気栓１３を開いて、上記人形主体部２の中空な内部に空気を吹き入れることにより当該人形主体部２を立体形に膨らますことができる。
また、上記送排気栓１３から空気を抜けば、膨らんだ上記人形主体部２を萎ませることができる。
【００２９】
上記中空風船状に形成された人形主体部２は、図１に示すように、キャラクタの頭部１１の形状に形成されている。ここでキャラクタとは、創作された又は実在の全ての動物、人間、ロボット等を含むものとする。本実施例では、人形主体部２はパンダの姿を模して形成されている。なお、目や鼻等は印刷により表面シート１４に表示されている。
【００３０】
上記手の保持部４は、図１に示すように、上記人形主体部２の下方に連続するように形成されている。
【００３１】
上記手の保持部４は、図３に示すように、片手を下側から挿入しうる袋状に形成されている。
【００３２】
上記手の保持部４として形成された袋部６は、同一形状に裁断された前後２枚の熱可塑性プラスチックシート１５を重ね合わせ、下辺部を除く周縁部が溶着されて形成されている。即ち、下辺部は手を挿入しうるように開口している。
【００３３】
上記手の保持部４は、図１に示すように、上記キャラクタの胴体部１２の形状に形成されている。この胴体部１２には左右両側に腕部１６が一体に形成されている。
【００３４】
上記胴体部１２には、図１に示すように、左右両側に腕部１６が一体に形成されている。この腕部１６は、図３に示すように、上記胴体部１２の内部に挿入した手の両端に位置する指を挿入することができるように中空に形成されている。
【００３５】
また、上記袋部６の裏面上端部には、図２及び図３に示すように、横長線状の切込み７が形成されている。この切込み７は、図３に示すように、上記袋部６に挿入した手の中央部に位置する指を外部へ露出するために形成されている。
【００３６】
上記指の係止部５は、図２及び図３に示すように、上記人形主体部２の裏面下端部に形成され、上記切込み７のすぐ真上に位置している。
【００３７】
上記指の係止部５は、図２及び図３に示すように、下向きに開口した開口部１７を有するポケット状に形成されている。即ち、このポケット部８は、上記袋部６に挿入した手の指の中で、上記切込み７を貫通させて外部に露出させた中央部に位置する指を下側から挿入しうるように形成されている。
【００３８】
上記ポケット部８は、図２及び図３に示すように、上記人形主体部２の裏面側に熱可塑性プラスチックシート性のポケット片９を重ね合わせ、そのポケット片９の下辺部を除く左右両側辺部及び上辺部を上記人形主体部２の裏面シート１０に溶着することにより形成されている。
なお、上記ポケット片９には、上記プラスチックシートの代わりに溶着可能な素材で形成されたアップリケなどを使用することも可能である。
【００３９】
上記ポケット部８に挿入した指を前後左右に動かすことにより上記人形主体部２、即ちキャラクタの頭部１１を前後左右に振ったり傾けることができる。
なお、上記腕部１６に挿入した指を曲げたり伸ばしたりすることにより当該腕部１６を開いたり閉じたりすることも可能である。
【００４０】
本実施の形態に係る人形玩具１の作用について説明する。
本実施の形態に係る人形玩具１を使用する場合には、図１及び図２に示すように、上記送排気栓１３を開き、この送排気栓１３から人形主体部２に空気を注入して人形主体部２を膨らませる。
【００４１】
その後、図３に示すように、操作者の手を胴体部１２の下方から胴体部１２内へ挿入し、例えば、人差し指及び中指を切込み７から突出させると共に、上記人差し指及び中指を上記指の係止部を構成するポケット部８の下方に向いた開口部１７からポケット部８内へ挿入する。
この場合、図２に示すように、上記ポケット部８は、上記人形主体部２が膨らんでいることから、人形主体部２の表皮材の曲率に従って表皮材の表面に設けられたポケット部８も左右上下方向に引っ張られ、その結果、ポケット片９の開口部１７の周縁部が立ち上がることから、上記開口部１７が形成される。従って、使用時に人形主体部２内へ空気が注入された場合には、上記開口部１７へ指が挿入しやすい。
【００４２】
なお、本実施の形態にあっては、合成樹脂製シートの素材として熱可塑性プラスチックシートを使用した場合を例に説明したが、本実施の形態に限定されず、例えば、アルミ蒸着されたナイロンシート等を素材とすることも可能である。
【産業上の利用可能性】
【００４３】
本考案は、指の操作で様々な動作をなさしめるように形成される全ての人形玩具に適用可能である。
【図面の簡単な説明】
【００４４】
【図１】斜視図である。
【図２】断面図である。
【図３】使用状態を示す背面図である。
【符号の説明】
【００４５】
１    人形玩具
２    人形主体部
３    プラスチックシート
４    手の保持部
５    指の係止部
６    袋部
７    切込み
８    ポケット部
９    ポケット片
１０  裏面シート
１１  頭部
１２  胴体部
１３  送排気栓
１４  表面シート
１５  プラスチックシート
１６  腕部
１７  開口部
【図１】
0003103623.tif 000003
【図２】
0003103623.tif 000004
【図３】
0003103623.tif 000005